(57)【要約】【課題】小物入れの底上げ効果により収納した物品を乗員から見え易くすると共に、小物入れからの物品の取出し性を高めることを目的とする。【解決手段】小物入れ１００内に入っている物品を指等で収納方向Ｉ（奥行き方向）に押し込むと、その外力により反力発生部材２４が弾性変形した状態となる。そして、物品から瞬間的に指等を離すと、反力発生部材２４の弾性的な反力が物品に対して瞬間的に作用し、該物品が開口部２０側に押し出され、取り出し易い位置に移動する。【選択図】        図１
2006224730.tif 000002
【特許請求の範囲】
【請求項１】
開口部を通じた物品の収納方向及び取出し方向が横方向となる小物入れにおいて、
前記収納方向の奥部に、該収納方向の外力に対して弾性的な反力を生じさせる反力発生部材を備えたことを特徴とする小物入れ。
【請求項２】
前記反力発生部材は、弾性体であることを特徴とする請求項１に記載の小物入れ。
【請求項３】
前記反力発生部材は、前記外力が作用する位置に配置され弾性体により前記取出し方向に付勢された可動片を有していることを特徴とする請求項１に記載の小物入れ。
【請求項４】
前記反力発生部材は、物品置き面と近接しながら前記収納方向及び前記取出し方向へ移動するように配置された薄物当て部を有することを特徴とする請求項１から請求項３の何れか１項に記載の小物入れ。
【発明の詳細な説明】
【技術分野】
【０００１】
本発明は、物品の収納方向及び取出し方向が横方向となる小物入れに関する。
【背景技術】
【０００２】
車輌の内装部品として、例えばコンソール部等に設けられる小物入れは、例えば開口部が車輌前後方向後側を向き、物品の収納方向及び取出し方向が車輌前後方向（横方向）となっている（特許文献１参照）。
【特許文献１】特開２００２−１３７６８９号公報
【特許文献２】実用新案登録第３０２７９８１号公報
【発明の開示】
【発明が解決しようとする課題】
【０００３】
しかしながら、上記のような小物入れは、コンソール部下部等に取り付けられるために、乗員の着座位置から遠く、しかも開口部が小さいのが一般的である。また、小物入れは、物品の収納方向及び取出し方向が横方向である場合に、奥行きが浅いと車輌の加減速時等に物落ちが発生することがあり、これを防止するために横方向に深く設計されることが多い。
【０００４】
小物入れに入れる小物は、煙草の箱やプリペイドカード等、厚いものから薄いものまで様々であり、小物入れに全体が収まってしまうような小さな物品（例えば、煙草の箱やプリペイドカード等）の場合には、小物入れの奥深くに入ってしまい易く、一旦奥に入ってしまうと、物品が乗員から見え難く、また指が届き難くなるため取出し性が悪化するという問題があった。
【０００５】
本発明は、上記事実を考慮して、小物入れに小さな物品を収納したときに底上げ効果により該物品が乗員から見え易くなるようにすると共に、小物入れから物品を取り出し易くすることを目的とする。
【課題を解決するための手段】
【０００６】
請求項１の発明は、開口部を通じた物品の収納方向及び取出し方向が横方向となる小物入れにおいて、前記収納方向の奥部に、該収納方向の外力に対して弾性的な反力を生じさせる反力発生部材を備えたことを特徴としている。
【０００７】
請求項１に記載の小物入れでは、該小物入れ内に入っている物品を指等で収納方向（奥行き方向）に押すと、まず該物品が反力発生部材に当たる（物品の大きさや位置によっては、初めから当たっている場合もある）。ここから更に物品を押し込むと、その外力により反力発生部材が弾性変形した状態又は弾性的に収納方向へ移動した状態となる。そして、物品から瞬間的に指等を離すと、反力発生部材の弾性的な反力が物品に対して瞬間的に作用し、該物品が開口部側に押し出される。
【０００８】
このように、請求項１に記載の小物入れでは、物品を一旦押し込んでから瞬間的に離すだけで、該物品を取り出し易い位置まで移動させることができる。
【０００９】
請求項２の発明は、請求項１に記載の小物入れにおいて、前記反力発生部材は、弾性体であることを特徴としている。
【００１０】
請求項２に記載の小物入れでは、物品の取出し時に該物品を収納方向に押し込むと、反力発生部材である弾性体自体が弾性変形することで、物品に対する弾性的な反力が生じる。
【００１１】
従って反力を発生させるための構造が簡易であり、組立て及び分解も容易である。
【００１２】
請求項３の発明は、請求項１に記載の小物入れにおいて、前記反力発生部材は、前記外力が作用する位置に配置され弾性体により前記取出し方向に付勢された可動片を有していることを特徴としている。
【００１３】
請求項３に記載の小物入れでは、物品の取出し時に、該物品を指等で小物入れの奥に押し込み、該物品が可動片に当たってから更に押し込むと、その外力により弾性体が弾性変形し、可動片がその分だけ収納方向に動く。そして、物品から瞬間的に指等を離すと、弾性体による弾性的な反力が可動片及び物品に対して瞬間的に作用し、該物品が可動片により開口部側に押し出されると共に、可動片が元の位置に復帰する。
【００１４】
このように、請求項３に記載の小物入れでは、反力発生部材が機構的に構成されているため耐久性が高い。
【００１５】
請求項４の発明は、請求項１から請求項３の何れか１項に記載の小物入れにおいて、物品置き面と近接しながら前記収納方向及び前記取出し方向へ移動するように配置された薄物当て部を有することを特徴としている。
【００１６】
請求項４に記載の小物入れでは、薄物当て部が物品置き面と近接しながら収納方向及び取出し方向へ移動するので、小物入れ内に入っている、例えばプリペイドカードのような薄い物品を指等で収納方向（奥行き方向）に押すと、物品は反力発生部材と物品置き面との間の隙間に入り込むことなく薄物当て部に当たる（物品の大きさや位置によっては、初めから当たっている場合もある）。ここから更に物品を押し込むと、その外力により薄物当て部が弾性変形した状態又は弾性的に収納方向へ移動した状態となる。そして、物品から瞬間的に指等を離すと、反力発生部材の弾性的な反力が薄物当て部から物品に対して瞬間的に作用し、該物品が開口部側に押し出される。
【００１７】
このように、請求項４に記載の小物入れでは、プリペイドカードのような薄い物品を収納方向へ押し込んだときでも、該物品が反力発生部材と物品置き面との間の隙間に入り込まないので、該物品を収納方向に一旦押し込んで離すだけで、該物品を取り出し易い位置まで移動させることができる。
【発明の効果】
【００１８】
以上説明したように、本発明の小物入れによれば、小物入れに小さな物品を収納したときに底上げ効果により該物品が乗員から見え易くなると共に、小物入れから物品を取り出し易くできる、という優れた効果を有する。
【発明を実施するための最良の形態】
【００１９】
以下、本発明の実施の形態を図面に基づき説明する。
［第１実施形態］
本実施形態に係る小物入れ１００は、図１において、底面となる物品置き面１２の両側から夫々連続して立設された側壁面１４と、物品置き面の上方で両側の側壁面１４と連続して形成された天井面１６とにより箱形状に形成され、物品２２（図３）の収納方向及び取出し方向が横方向となるように、横長の長方形の開口部２０が横向き（例えば、略水平方向）に形成されている。開口部２０の縁部２０Ａは、コンソール部等（図示せず）への組付け性を考慮して、例えばフランジ状に形成されている。小物入れ１００の収納方向（矢印Ｉ方向）の最も奥部には、例えば物品置き面１２、側壁面１４及び天井面１６（図３）と連続した奥壁面１８が形成されている。
【００２０】
図３に示されるように、天井面１６と物品置き面１２は、例えば開口部２０に向けてその間隔が漸増するようにテーパ状に形成されている。なお、小物入れ１００のコンソール部等への取付け状態において、物品置き面１２は、物落ちの防止の観点から、例えば開口部２０に向けて若干上りの傾斜となっている（図示せず）。
【００２１】
また、図１に示されるように、小物入れ１００のコンソール部等への取付け状態において、収納方向（矢印Ｉ方向）は、車輌前方向ＦＲとほぼ一致するので、開口部２０は車輌前後方向後側に向いた状態となる。このとき、天井面１６は、車輌上下方向上側ＵＰに位置する。
【００２２】
収納方向の奥部となる例えば奥壁面１８には、該収納方向の外力に対して弾性的な反力を生じさせる反力発生部材２４が取り付けられている。反力発生部材２４は、例えばゴムを一体成形した弾性体であり、その基部２４Ａが、例えば奥壁面１８に接すると共に、物品置き面１２、側壁面１４及び天井面１６と嵌合している。
【００２３】
図２に示されるように、反力発生部材２４には、当て部２４Ｂが基部２４Ａ上の長手方向（小物入れ１００の幅方向）に沿って稜線状に形成されている。図３に示されるように、当て部２４Ｂの頂上（図３の左端）の形状は、例えば断面略半円形であり、その肉厚は、例えば基部２４Ａと同等である。基部２４Ａから当て部２４Ｂの頂上までの高さは、小物入れ１００の奥行きを考慮して定められる。
【００２４】
図１及び図２に示されるように、反力発生部材２４の長手方向の両端部２４Ｄは閉じられた形状となっているが、これは反力発生部材２４の形状を安定させるためである。
【００２５】
なお、当て部２４Ｂの形状や肉厚は、これに限られるものではなく、物品２２を押し出すために必要な反力を生じさせることができるものであればよい。
（作用）
図３において、例えば小物入れ１００が車輌のコンソール部の下部（図示せず）に取り付けられている場合、図３（Ａ）に示されるように、小物入れ１００内に全体が収まるような大きさの物品２２（例えば、煙草の箱）を、該小物入れ１００に入れると、乗員の視線Ａの方向と小物入れ１００の収納方向が大きく異なるため、該小物入れ１００内の物品２２が見え難いのが通常である。
【００２６】
しかしながら、本実施形態に係る小物入れ１００の場合には、物品２２を一旦押し込んで離すだけで、該物品２２を取り出し易い位置まで移動させることができる。その作用について具体的に説明すると、まず物品２２を手指２６で収納方向（矢印Ｉ方向）に押して物品置き面１２上を移動させ、反力発生部材２４の当て部２４Ｂに当てる。なお、物品２２の大きさや位置によっては、初めから当たっている場合もある。この場合、反力発生部材２４がない場合と比較すると、該反力発生部材２４が存在する分だけ小物入れ１００が底上げされ、物品２２の初期位置が改善される（開口部２０側になる）。
【００２７】
図３（Ｂ）に示されるように、ここから更に物品２２を押し込むと、該物品２２と接触している反力発生部材２４自体（特に当て部２４Ｂ）がその外力により弾性変形した状態となる。当て部２４Ｂは、断面略半円形に形成されているので、変形状態は上下に長い断面略半楕円形となり、例えば一部が天井面１６及び物品置き面１２に当接する。
【００２８】
そして、図３（Ｃ）に示されるように、物品２２から瞬間的に手指２６を離すと、反力発生部材２４の弾性的な反力が物品２２に対して瞬間的に作用し、該物品２２が開口部２０側、即ち矢印Ｒ方向（取出し方向）に瞬間的に押し出される（物品置き面１２上を移動する）。
【００２９】
このように、本実施形態に係る小物入れ１００では、物品２２を一旦押し込んで離すだけで、該物品２２を取り出し易い位置（視線Ａの方向に見える位置）まで移動させることができるので、小物入れ１００内に入り込んだ物品２２を手探りで探して掴む必要はなく、取出し性が良好である。
【００３０】
車輌で、運転操作中に物品２２を小物入れ１００に対して出し入れすることも予想されるが、小物入れ１００では、物品２２を見なくても該物品２２の出入れを確実かつ簡単に行うことができる。
【００３１】
また、車輌の減速時等に、物品２２が慣性力により小物入れ１００の奥に移動した場合には、反力発生部材２４が該物品２２を弾性的に受け止めるので、小物入れ１００内での異音の発生が抑制される。異音の発生が少ないことから、小物入れ１００が取り付けられた車輌の商品価値も高まる。
【００３２】
小物入れ１００では、反力発生部材２４が弾性体であり、外力を受けたときにそれ自体が弾性変形するので、構造が簡易であり、また、反力発生部材２４は小物入れ２４に嵌め込まれて取り付けられるように構成されているので、小物入れ１００の組立て及び分解も容易である。
［第２実施形態］
図４及び図５に示されるように、本実施形態に係る小物入れ２００では、反力発生部材２４は、物品置き面１２と近接しながら収納方向Ｉ及び取出し方向Ｒへ移動するように配置された薄物当て部２４Ｃを有している。物品置き面１２と近接するということは、例えば物品置き面１２と薄物当て部２４Ｃとの間の隙間が物品２８の厚さ、例えばプリペイドカードの厚さよりも少ないことを意味する。
【００３３】
図４及び図５に示されるように、薄物当て部２４Ｃは、例えばゴム等の弾性体であり、小物入れ２００への取付け状態における当て部２４Ｂの物品置き面１２側に、例えば小物入れ２００の幅方向に、夫々リブ状に６箇所配列して一体的に形成されている。薄物当て部２４Ｃの厚さ方向は、例えば小物入れ２００の幅方向で、しかも薄肉であるので、収納方向Ｉに外力が作用した場合に、例えば厚さ方向に撓むと共に、収納方向Ｉに縮むように弾性変形するようになっている。図５（Ａ）に示されるように、薄物当て部２４Ｃは、物品置き面１２に対してほとんど隙間なく接している。
【００３４】
なお、薄物当て部２４Ｃの形状は図示のものに限られず、物品２８に反力を与えることができる形状であればよい。
【００３５】
その他の部分は、第１実施形態と同様であるので、同一の部分には図面に同一の符号を付し、説明を省略する。
（作用）
図５において、例えば小物入れ２００が車輌のコンソール部の下部（図示せず）に取り付けられている場合、図５（Ａ）に示されるように、小物入れ２００内に全体が収まり、かつ薄い物品２８（例えば、プリペイドカード）を、該小物入れ２００に入れると、乗員の視線Ａの方向と小物入れ２００の収納方向が大きく異なるため、該小物入れ２００内の物品２８が見え難く、しかも物品２８が薄いため掴み難いのが通常である。
【００３６】
しかしながら、本実施形態に係る小物入れ２００の場合には、物品２８を一旦押し込んで離すだけで、該物品２８を取り出し易い位置まで移動させることができる。その作用について具体的に説明すると、まず物品２８を手指２６で収納方向（矢印Ｉ方向）に押して物品置き面１２上を移動させ、反力発生部材２４の薄物当て部２４Ｃに当てる（物品２８の大きさや位置によっては、初めから当たっている場合もある）。
【００３７】
図５（Ｂ）に示されるように、ここから更に物品２８を押し込むと、該物品２８と接触している反力発生部材２４自体（特に薄物当て部２４Ｃ）がその外力により弾性変形した状態となる。薄物当て部２４Ｃは、小物入れ２００の幅方向に厚さを有する薄肉のリブ状であるため、変形状態は例えばその厚さ方向に撓むと共に、収納方向Ｉに縮むような弾性変形となる。
【００３８】
そして、図５（Ｃ）に示されるように、物品２８から瞬間的に手指２６を離すと、薄物当て部２４Ｃの弾性的な反力が物品２８に対して瞬間的に作用し、該物品２８が開口部２０側、即ち矢印Ｒ方向（取出し方向）に瞬間的に押し出される（物品置き面１２上を移動する）。
【００３９】
このように、本実施形態に係る小物入れ２００では、物品２８を一旦押し込んで離すだけで、該物品２８を取り出し易い位置（視線Ａの方向に見える位置）まで移動させることができるので、小物入れ２００内に入り込んだプリペイドカードのような薄い物品２８でも取出し性が良好である。
【００４０】
また、車輌の減速時等に、物品２８が慣性力により小物入れ２００の奥に移動した場合には、反力発生部材２４が該物品２８を弾性的に受け止めるので、小物入れ２００内での異音の発生が抑制される。異音の発生が少ないことから、小物入れ２００が取り付けられた車輌の商品価値も高まる。
【００４１】
反力発生部材２４は、当て部２４Ｂだけでなく薄肉当て部２４Ｃも弾性体であり、外力を受けたときに薄肉当て部２４Ｃ自体が弾性変形するので、構造が簡易であり、また、反力発生部材２４は小物入れ２４に嵌め込まれて取り付けられるように構成されているので、小物入れ２００の組立て及び分解も容易である。
［第３実施形態］
図６及び図７に示されるように、本実施形態に係る小物入れ３００では、反力発生部材３０は、本体部３６に、外力が作用する位置（物品２２が当接する位置）に配置され圧縮ばね３２（弾性体）により取出し方向（矢印Ｒ方向）に付勢された可動片３４を有している。第１実施形態及び第２実施形態と異なり、本実施形態に係る小物入れ３００では、奥壁面１８が別体であり、該奥壁面１８に反力発生部材３０を取り付けてから、物品置き面１２、側壁面１４及び天井面１６からなる筒状体１０の奥側端部に取り付けるようになっている。
【００４２】
本体部３６は、例えば合成樹脂を一体成形することにより、基部３６Ａから上面３６Ｂ、側面３６Ｆ及び下面３６Ｄが夫々立設して形成され、奥壁面１８に固定されている。
【００４３】
可動片３４は、例えばゴムや合成樹脂を一体成形したものであり、断面略円弧形の当て部３４Ｂが、反力発生部材３０のうち取出し方向（矢印Ｒ方向）に最も突出しており、かつ本体部３６の長手方向（小物入れ３００の幅方向）に沿って稜線状に形成されている。
【００４４】
また、当て部３４Ｂの上辺に沿って第１係合部３４Ａが形成され、当て部３４Ｂの下側に連続して壁状の薄物当て部３４Ｃが形成されている。更に、該薄物当て部３４Ｃに連続し物品置き面１２と略平行に近接するガイド部３４Ｄが形成され、該ガイド部３４Ｄの末端から上方に立設して第２係合部３４Ｅが形成されている。
【００４５】
本体部３６の上面３６Ｂには、当て部３４Ｂと輪郭が連続するように形成された断面略円弧形のひさし部３６Ｃが形成されている。可動片３４に外力が作用していないときには、第１係合部３４Ａは該ひさし部３６Ｃと係合し、第２係合部３４Ｅは本体部３６の下面３６Ｄ（物品置き面１２側の面）に突出形成されたストッパ部３６Ｅと係合している。即ち、自然状態においては、可動片３４は、圧縮ばね３２により取出し方向に付勢されると共に、本体部３６により係止された状態となっている。
【００４６】
図７に示されるように、可動片３４における当て部３４Ｂの裏側には例えば可動片３４の移動方向が軸方向となる筒状のガイド３４Ｇが設けられ、奥壁面１８から取出し方向に立設して形成されたガイド軸３８と摺動するようになっている。
【００４７】
ガイド軸３８は、圧縮ばね３２に差し込まれ、圧縮ばね３２の一端は奥壁面１８に、他端はガイド３４Ｇに夫々当接している。圧縮ばね３２には所定の初期荷重が付与されており、これによって圧縮ばね３２が可動片３４を矢印Ｒ方向に付勢できるようになっている。
【００４８】
圧縮ばね３２、ガイド軸３８及びガイド３４Ｇは、小物入れ３００の幅方向中心の両側に均等に配列して、例えば２箇所配設されている。
【００４９】
その他の部分は、第１実施形態と同様であるので、同一の部分には図面に同一の符号を付し、説明を省略する。
（作用）
図７において、例えば小物入れ３００が車輌のコンソール部の下部（図示せず）に取り付けられている場合、小物入れ３００内に全体が収まるような大きさの物品２２（例えば、煙草の箱）を、該小物入れ３００に入れると、乗員の視線Ａの方向と小物入れ３００の収納方向が大きく異なるため、該小物入れ３００内の物品２２が見え難いのが通常である。
【００５０】
しかしながら、本実施形態に係る小物入れ３００の場合には、物品２２を一旦押し込んで離すだけで、該物品２２を取り出し易い位置まで移動させることができる。その作用について具体的に説明すると、まず物品２２を手指２６で収納方向（矢印Ｉ方向）に押して物品置き面１２上を移動させ、反力発生部材３０の可動片３４に当てる（物品２２の大きさや位置によっては、初めから当たっている場合もある）。
【００５１】
ここから更に物品２２を押し込むと、その外力により圧縮ばね３２が縮み、物品２２と接触している可動片３４が矢印Ｉ方向に移動した状態となる。このとき可動片３４は、ガイド部３４Ｄが物品置き面１２に案内され、当て部３４Ｂの裏側のガイド３４Ｇがガイド軸３８に案内されて、矢印Ｉ方向に平行移動する。
【００５２】
そして、物品２２から瞬間的に手指２６を離すと、圧縮ばね３２による弾性的な反力が可動片３４から物品２２に対して瞬間的に作用し、可動片３４が元の位置へ復帰すると共に、物品２２が開口部２０側、即ち矢印Ｒ方向（取出し方向）に瞬間的に押し出される（物品置き面１２上を移動する）。
【００５３】
このように、本実施形態に係る小物入れ３００では、物品２２を一旦押し込んで離すだけで、該物品２２を取り出し易い位置（視線Ａの方向に見える位置）まで移動させることができるので、小物入れ３００内に入り込んだ物品２２を手探りで探して掴む必要はなく、取出し性が良好である。
【００５４】
また、車輌の減速時等に、物品２２が慣性力により小物入れ３００の奥に移動した場合には、反力発生部材３０が該物品２２を弾性的に受け止めるので、小物入れ３００内での異音の発生が抑制される。異音の発生が少ないことから、小物入れ３００が取り付けられた車輌の商品価値も高まる。可動片３４又はその当て部３４Ｂを例えばゴム等の弾性体とすれば、異音抑制効果は一層高まる。
【００５５】
可動片３４には、薄物当て部３４Ｃも形成されているので、煙草の箱のような厚みのある物品２２だけでなく、プリペイドカードのように薄い物品２８（図５）であっても、取出し性が良好で、かつ異音抑制効果がある。
［第４実施形態］
図８及び図９に示されるように、本実施形態に係る小物入れは、反力発生部材が例えば断面半円弧状の板ばね４０であり、該板ばね４０を例えばねじ４２により奥壁面１８に固定した上で、第３実施形態と同様に筒状体の奥側端部に取り付けるようになっている（図７の奥壁面１８参照）。
【００５６】
板ばね４０は、例えば合成樹脂を成形したり、又は金属板ばね４０をプレス加工して製造され、当て部４０Ｂには例えば４箇所のスリット４０Ａが形成されている。これは、物品（図示せず）を押し込む程度の外力で弾性変形するように、板ばね４０の弾性係数を低めるためである。
【００５７】
作用については、第１実施形態と同様であるので、詳細な説明は省略する。
【図面の簡単な説明】
【００５８】
【図１】図１から図３は、本発明の第１実施形態に係り、図１は第１実施形態に係る小物入れを示す部分破断斜視図である。
【図２】反力発生部材の斜視図である。
【図３】小物入れから物品を取り出す手順を示す断面図である。
【図４】図４及び図５は、本発明の第２実施形態に係り、図４は反力発生部材の斜視図である。
【図５】小物入れから物品を取り出す手順を示す断面図である。
【図６】図６及び図７は、本発明の第３実施形態に係り、図６は反力発生部材の斜視図である。
【図７】小物入れから物品を取り出す状態を示す断面図である。
【図８】図８及び図９は、本発明の第４実施形態に係り、図８は奥壁面に固定された反力発生部材を示す斜視図である。
【図９】奥壁面に固定された反力発生部材を示す側面図である。
【符号の説明】
【００５９】
１２    物品置き面
２０    開口部
２２    物品
２４    反力発生部材
２４Ｃ  薄物当て部
２８    物品
３０    反力発生部材
３２    圧縮ばね（弾性体）
３４    可動片
３４Ｃ  薄物当て部
４０    板ばね（反力発生部材）
１００    小物入れ
２００    小物入れ
３００    小物入れ
【図１】
2006224730.tif 000003
【図２】
2006224730.tif 000004
【図３】
2006224730.tif 000005
【図４】
2006224730.tif 000006
【図５】
2006224730.tif 000007
【図６】
2006224730.tif 000008
【図７】
2006224730.tif 000009
【図８】
2006224730.tif 000010
【図９】
2006224730.tif 000011